(57)【特許請求の範囲】
【請求項１】
容器の口部に着脱自在に固定されるベースと、該ベースに設けた枢軸を介して回動可能に保持されるレバーと、該ベースを介して前記容器の口部内に垂下され該レバーの牽曳によって容器内の内容物を吸引、加圧、圧送するポンプと、該ポンプによって吸引、加圧、圧送された内容物を通過させる送給経路を有するボディと、該レバーに設けた窓孔から突出して設けられ、該ボディの先端部と連結して該送給経路を通り抜けた内容物を外界へ向けて噴射する噴射ノズルとを備えるトリガー式噴出器であって、
前記レバーは、対向配置となる一対の側壁と、該側壁の相互間に掛け渡されて該レバーの操作部となる正面壁とを有し、
該正面壁に、前記窓孔につながるとともに、前記噴射ノズルの取り付けに際して前記側壁を幅方向外側に向けて弾性変位させて該噴射ノズルを挿通させるスリットを設けたことを特徴とするトリガー式噴出器。
【請求項２】
前記正面壁は、該正面壁とヒンジ連結するとともに前記スリットを閉鎖する蓋体を備える請求項１に記載のトリガー式噴出器。
【請求項３】
前記側壁は、その内側面に係合部を有し、前記蓋体は、前記ヒンジ連結した縁部と対向する縁部に、該係合部と連係して該蓋体を保持する被係合部を備える請求項２に記載のトリガー式噴出器。
【請求項４】
前記枢軸を、前記ベースの天面壁から起立するとともに隙間を隔てて配置した一対の支持壁に形成し、前記ボディに、該支持壁の相互間に形成される隙間に向けて延設される回転止め部を設けた請求項１〜３の何れかに記載のトリガー式噴出器。
【発明の詳細な説明】
【技術分野】
【０００１】
本発明は、トリガー式噴出器に関するものであり、噴出器を構成する部材の組み立て作業を行いやすくしようとするものである。
【背景技術】
【０００２】
黴取り剤や洗剤、衣料用糊剤、住居用ワックス、整髪剤、芳香剤等の内容物を入れた容器においては、容器の口部に取り付けられるポンプを、レバーを牽曳することによって駆動して、容器内の内容物を外界へ向けて噴射させるトリガー式の噴出器が多用されており、これにより内容物の効率的な供給を可能にしている。
【０００３】
かかるトリガー式噴出器は、例えば特許文献１に記載のように、内容物を収容する容器の口部に着脱自在に固定されるベース（特許文献１では装着筒部材）に回動可能に保持されるレバー（特許文献１ではトリガー）を設け、シリンダー内を摺動する環状ピストンを備えるポンプを、ベースによって容器の口部内に垂下されるように構成し、環状ピストンの上部に、レバーの牽曳によって上下に変位してポンプを駆動させるとともにその内側をポンプによって吸引、加圧、圧送される内容物の送給経路とするボディ（特許文献１では上下動部材）を配置し、ボディの先端部を、レバーに設けた窓孔（特許文献１では指掛け部と連結板部との間の空間）に挿通させるとともにその先端部に噴射ノズルを一体連結させる構成が一般的である。
【先行技術文献】
【特許文献】
【０００４】
【特許文献１】特開２００４−６０６１７号公報
【発明の概要】
【発明が解決しようとする課題】
【０００５】
ところで、牽曳されるレバーの回動変位によってボディを上下に変位させるには、通常、レバーの内側面に押圧突起を突設し、その押圧突起よりも下方におけるボディの外面壁に被押圧突起を突設して、レバーの牽曳によって押圧突起が被押圧突起を押し下げるように構成する。一方、噴射ノズルは、その内側に、ポンプ内に設けた吸引弁との協働によって内容物を吸引、加圧、圧送する排出弁が組み込まれているのが普通であり、ある程度の大型化が避けられない。このため、通常、噴射ノズルの幅は窓孔の幅よりも大きくなっている。
【０００６】
上記のような構成となるトリガー式噴出器を組み立てるに当たっては、まず、ボディの後端部をレバーの表面側から挿入し（図６（ａ）参照）、引き続き、ボディの被押圧突起がレバーの押圧突起をくぐるようにボディを相対移動させて（図６（ｂ）参照）、被押圧突起を押圧突起の下方に位置させる。次いで、両者の相対位置を保ったまま、ボディの後端部を環状ピストン上に載置させるとともに、レバーはベースに設けた枢軸に係合させることが必要となる（図６（ｃ）参照）。このため、ボディとレバーとの位置合わせが面倒である上、それらをベース等に取り付ける際には両者を動かないように保持しておく不安定な作業が必要であって、組み立てやすさの点で改善の余地が残されていた。
【０００７】
本発明の課題は、容器内の内容物をレバーの牽曳によって噴射させるトリガー式噴出器に関し、噴出器を構成する部材の組み立て作業を行いやすくした、新規なトリガー式噴出器を提案するところにある。
【課題を解決するための手段】
【０００８】
本発明は、容器の口部に着脱自在に固定されるベースと、該ベースに設けた枢軸を介して回動可能に保持されるレバーと、該ベースを介して前記容器の口部内に垂下され該レバーの牽曳によって容器内の内容物を吸引、加圧、圧送するポンプと、該ポンプによって吸引、加圧、圧送された内容物を通過させる送給経路を有するボディと、該レバーに設けた窓孔から突出して設けられ、該ボディの先端部と連結して該送給経路を通り抜けた内容物を外界へ向けて噴射する噴射ノズルとを備えるトリガー式噴出器であって、
前記レバーは、対向配置となる一対の側壁と、該側壁の相互間に掛け渡されて該レバーの操作部となる正面壁とを有し、
該正面壁に、前記窓孔につながるとともに、前記噴射ノズルの取り付けに際して前記側壁を幅方向外側に向けて弾性変位させて該噴射ノズルを挿通させるスリットを設けたことを特徴とするトリガー式噴出器である。
【０００９】
前記正面壁は、該正面壁とヒンジ連結するとともに前記スリットを閉鎖する蓋体を備えることが望ましい。
【００１０】
前記側壁は、その内側面に係合部を有し、前記蓋体は、前記ヒンジ連結した縁部と対向する縁部に、該係合部と連係して該蓋体を保持する被係合部を備えることが望ましい。
【００１１】
前記枢軸を、前記ベースの天面壁から起立するとともに隙間を隔てて配置した一対の支持壁に形成し、前記ボディに、該支持壁の相互間に形成される隙間に向けて延設される回転止め部を設けることが望ましい。
【発明の効果】
【００１２】
牽曳によりポンプを駆動させるレバーを、対向配置となる一対の側壁と、側壁の相互間に掛け渡される正面壁とで構成し、正面壁に、噴射ノズルの取り付けに際して側壁を幅方向外側に向けて弾性変位させてその噴射ノズルを挿通させるスリットを設けたので、レバーの側壁の弾性変位下で、噴射ノズルをレバーの裏面側から表面側に向けて挿通させることができる。これにより、ボディの被押圧突起がレバーの押圧突起をくぐるようにして両者を位置合わせする必要がなくなるので、組み立て作業が容易となる。
【００１３】
正面壁とヒンジ連結する蓋体を設け、この蓋体でスリットを閉鎖するように構成する場合は、スリットが開口したままにならないので、見栄えが損なわれることがない。
【００１４】
側壁の内側面に係合部を形成し、蓋体にその係合部と連係する被係合部を設ける場合は、蓋体にレバーの牽曳に伴う押圧力が加わっても、スリットが不用意に開口してしまうことがない。
【００１５】
枢軸を、ベースの天面壁から起立するとともに隙間を隔てて配置した一対の支持壁に形成し、ボディに、支持壁の相互間に形成される隙間に向けて延設される回転止め部を設ける場合は、ボディをポンプに装着することでボディとベースとの位置が定まるので、レバーを取り付ける際にボディを動かないように保持しておく必要がなくなり、組み立て作業がより一層容易となる。
【図面の簡単な説明】
【００１６】
【図１】本発明に従うトリガー式噴出器の実施の形態を断面で示す側面図である。
【図２】図１に示すトリガー式噴出器につき、（ａ）は平面図であり、（ｂ）は正面図である。
【図３】本発明に従うトリガー式噴出器のレバーにつき、（ａ）は正面図であり、（ｂ）は側面視での断面図である。
【図４】本発明に従うトリガー式噴出器のレバーの組み付けを説明する図であり、（ａ）は正面図であり、（ｂ）は側面視での断面図である。
【図５】本発明に従うトリガー式噴出器の他の実施の形態に係るレバーにつき、側面視での断面図である。
【図６】従来のトリガー式噴出器におけるボディとレバーとの組み付けを説明する側面視での断面図であって、（ａ）は、ボディの後端部をレバーの表面側から挿入する姿勢を示し、（ｂ）は、ボディの被押圧突起がレバーの押圧突起をくぐるようにボディを相対移動させる姿勢を示し、（ｃ）は、被押圧突起を押圧突起の下方に位置させた状態で、ボディ及びレバーを組み付ける姿勢を示す。
【発明を実施するための形態】
【００１７】
以下、図面を参照して、本発明をより具体的に説明する。
図１は、本発明に従うトリガー式噴出器の実施の形態を断面で示す側面図であって、図２は、図１に示すトリガー式噴出器につき、（ａ）は平面図であり、（ｂ）は正面図であって、図３は、本発明に従うトリガー式噴出器のレバーにつき、（ａ）は正面図であり、（ｂ）は側面視での断面図であって、図４は、本発明に従うトリガー式噴出器のレバーの組み付けを説明する図であり、（ａ）は正面図であり、（ｂ）は側面視での断面図であって、図５は、本発明に従うトリガー式噴出器の他の実施の形態に係るレバーにつき、側面視での断面図であって、図６は、従来のトリガー式噴出器におけるボディとレバーとの組み付けを説明する側面視での断面図であって、（ａ）は、ボディの後端部をレバーの表面側から挿入する姿勢を示し、（ｂ）は、ボディの被押圧突起がレバーの押圧突起をくぐるようにボディを相対移動させる姿勢を示し、（ｃ）は、被押圧突起を押圧突起の下方に位置させた状態で、ボディ及びレバーを組み付ける姿勢を示す。
なお、本実施の形態では、図１に示す矢印Ｘに沿う向きに対し、＋側を前方、その反対側を後方とし、矢印Ｙに沿う向きに対し、＋側を上方、その反対側を下方とする。また図２（ａ）、（ｂ）に示す矢印Ｚに沿う向きを幅方向とする。
【００１８】
図１において、１は本発明に従うトリガー式噴出器が取り付けられる容器である。容器１は、上部を開口させた口部１ａを有し、その内側に内容物を収容する内部空間を備えている。また、口部１ａの外面壁には、ねじ部１ｂを設けている。
【００１９】
２は、容器１の口部１ａに着脱自在に固定されるベースである。ベース２は、容器１の口部１ａの上部を覆う円形の天面壁２ａと、天面壁２ａの外周より垂下され、容器１の口部１ａの外周を取り囲む筒体２ｂと、筒体２ｂの内側に形成され、容器１の口部１ａにねじ止めされるねじ部２ｃを有している。図示の例でベース２は、容器１の口部１ａにねじで係合するものとしているが、アンダーカットによって係合させてもよい。
【００２０】
またベース２は、天面壁２ａに形成した中央部の開孔縁から立ち上がり、筒体２ｂよりも小径となる上筒体２ｄと、上筒体２ｄの上部から漸次に縮径しながら起立し、上端に上筒体２ｄと連通する貫通開口を有するガイド筒２ｅを備えている。
【００２１】
さらにベース２は、上筒体２ｄの後方において天面壁２ａから立ち上がり、幅方向に隙間を隔てて対向配置となる一対の支持壁２ｆと、支持壁２ｆの後方においてそれら支持壁２ｆを相互に連結する後方壁２ｇとを備えている。また、それぞれの支持壁２ｆの上部には、後述するレバーを回動自在に保持する枢軸２ｈが幅方向外側に向けて突設されている。
【００２２】
３は、ベース２を介して容器１の口部１ａ内に垂下されるポンプである。ポンプ３は、上端が開放されその上部が上筒体２ｄの内側に嵌合し、中間部にフランジｆを設け、下端開口を内容物の吸引口とする筒状のシリンダー３ａと、このシリンダー３ａの内側に摺動可能に配置され、その往復移動により容器１の内部空間内の内容物を吸引、加圧、圧送するピストン３ｂと、このピストン３ｂを上方に向けて弾性支持するスプリング３ｃと、シリンダー３ａ内に配され、ピストン３ｂをガイドするポペット３ｄと、シリンダー３ａの吸引口に配され、吸引に係る内容物の逆流を防止する吸引弁３ｅからなる。また、シリンダー３ａの下端開口には、内容物を吸引する吸引管Ｓが取り付けられている。なお、ベース２を介してポンプ３を容器１の口部１ａ内に垂下させた姿勢において、フランジｆと容器１の口部１ａとの相互間にはパッキンＰａが配され、フランジｆと天面壁２ａとの相互間にはパッキンＰｂが配されているので、容器１の内部空間を密閉することができる。
【００２３】
４は、その内側に、ポンプによって吸引、加圧、圧送された内容物を通過させる送給経路Ｒを有するボディである。このボディ４は、下端部をピストン３ｂに当接させるとともに、その内側に縦型経路Ｒａを有するステム４ａと、ステム４ａの上端部と一体連結し、前方に向かうにつれて上方に向けて傾く傾斜姿勢で保持される傾斜筒体４ｂとを備えている。傾斜筒体４ｂの内側には、傾斜筒体４ｂの長手方向に沿って形成されて縦型経路Ｒａと一体的につながる傾斜経路Ｒｂが設けられている。そして、傾斜筒体４ｂの前方には、フランジ４ｃ付きのノズル本体４ｄが傾斜筒体４ｂと一体的に設けられている。また、ノズル本体４ｄの内側には、傾斜経路Ｒｂと一体的につながるとともに傾斜経路Ｒｂよりも大径となる大径経路Ｒｃが形成されている。ボディ４の上部には、幅方向の両外側に突出する円形の被押圧突起４ｅが形成されている。さらにボディ４に、ステム４ａと傾斜筒体４ｂとの結合部から後方に向けて延びて枢軸２ｈの手前で折れ曲がり、その下端部を一対の支持壁２ｆの相互間の隙間に入り込ませた回転止め部４ｆを設けてもよい。
【００２４】
５は、大径経路Ｒｃ内に配置されて、吸引弁３ｅとの協働により内容物の噴出に寄与する弁体として機能する排出弁である。排出弁５は、その中央部に環状の弾性部５ａを有し、その弾性部５ａを挟んで前方側に台板５ｂを一体連結するとともに、後方側に弁板５ｃを一体連結している。台板５ｂは、その外周面に大径経路Ｒｃの軸線方向に沿う複数の溝部５ｄを備えている。また、弁板５ｃは、フランジ４ｃと対向する面にパッキンＰｃを備えるとともに、弁板５ｃから傾斜経路Ｒｂに沿って延設される軸部５ｅを有する。
【００２５】
そして６は、一端部を軸部５ｅに嵌め込んで排出弁５と連結するとともに、他端部を縦型経路Ｒａと傾斜経路Ｒｂとの連結部まで延在させた、傾斜経路Ｒｂ内に配設される棒状部材である。棒状部材６の外面壁と傾斜経路Ｒｂの内側面との相互間には内容物を通過させる隙間が設けられている。
【００２６】
７は、ノズル本体４ｄとねじ係合により連結して（アンダーカット係合でもよい）噴射ノズルＮを形成するキャップである。なお図示の例で噴射ノズルＮとは、フランジ４ｃよりも前方に位置するボディ４及びキャップ７に係る部位をいう。また、キャップ７の前方側中央には、内容物を外界に向けて噴射させる噴射孔７ａが設けられていて、更にその噴射孔７ａを起点として前方側に向けて拡径する傾斜壁７ｂが形成されている。
【００２７】
８は、牽曳によってポンプ３を駆動させるレバーである。レバー８は、図３（ａ）、（ｂ）において詳細に示すように、幅方向に間隔をおいて対向配置となる一対の側壁８ａと、レバー８の後方から上方に至る部位において側壁８ａの相互間を連結させてボディ４の大部分を覆い隠す天壁８ｂと、レバー８の前方側に設けられて一方の側壁８ａから他方の側壁８ａに掛け渡される正面壁８ｃとを備えている。天壁８ｂは、その中間部から下方に向けて延在するとともに側壁８ａの相互間を連結してレバー８の剛性を高める補強壁８ｄを備えている。また、天壁８ｂと正面壁８ｃとの間は、ボディ４の傾斜筒体４ｂを挿通させてその先端に設けた噴射ノズルＮを突出させる窓孔８ｅとなっている。更に正面壁８ｃには、窓孔８ｅにつながるとともに正面壁８ｃを表裏において貫通するスリット８ｆが形成されている。これにより、側壁８ａのそれぞれを幅方向外側に弾性変位させることが可能となる。なお図示の例では、スリット８ｆの幅は窓孔８ｅと同一となっているが、窓孔８ｅの開口幅より狭くしてもよい。そして側壁８ａの中間部には、幅方向内側に向けて肉厚部を設けることで側壁８ａとの間に段差を形成して、その段差の下部に、ボディ４の被押圧突起４ｅと係合する凹状の押圧突起８ｇが設けられている。更に、側壁８ａの後方にも溝部８ｈを残して幅方向内側に向けて肉厚部を設け、その溝部８ｈに、ベース２の枢軸２ｈに軸支されてレバー８を回動可能に保持する軸穴８ｉを設ける。これにより、レバー８をベース２に取り付ける際は、溝部８ｈによって枢軸２ｈをガイドしながら軸穴８ｉに挿入させることができるので、両者の特段の位置あわせが不要となり、組み付け作業が効率よく行えることとなる。
【００２８】
上記のように構成したトリガー式噴出器は、ボディ４とレバー８との組み立てに当たり、図４（ａ）に示すように、レバー８の一対の側壁８ａを幅方向外側にそれぞれ弾性変位させる。そして、その弾性変位の下、図４（ｂ）に示すように、ボディ４の先端部に位置する噴射ノズルＮを窓孔８ｅ又はスリット８ｆの裏面側から表面側（後方から前方）に向けて挿通させる。これにより、ボディ４の被押圧突起４ｅがレバー８の押圧突起８ｇをくぐるようにボディ４を相対移動させる必要がなくなるので、組み立て作業が容易となる。なお、このようにしてボディ４とレバー８とを組み合わせておき、両者をポンプ３及びベース２に取り付けることも可能であるが、図４（ａ）、（ｂ）に示すように、予めポンプ３にボディ４を取り付けておき、その後弾性変位させたレバー８を取り付けるようにする場合は、ボディ４とレバー８との位置合わせ状態を維持しておく必要がなくなるので、組み立て作業がより簡単になる。
【００２９】
また、図５に示すように、正面壁８ｃとヒンジｈを介して連結する蓋体８ｊを設け、この蓋体８ｊでスリット８ｆを閉鎖するように構成する場合は、スリット８ｆが開口したままにならないので、見栄えが損なわれることがない。
【００３０】
さらに、図５に示すように、各側壁８ａの内側面から幅方向内側に係合部８ｋをそれぞれ突設させ、蓋体８ｊには、ヒンジｈと連結した縁部と対向する縁部における幅方向両外側に、それぞれの係合部８ｋと係合する被係合部８ｍを設ける場合は、蓋体８ｊの閉鎖姿勢が維持されるので、レバー８の牽曳に伴う押圧力が蓋体８ｊに加わっても、スリット８ｆが不用意に開口してしまうことがない。
【００３１】
そしてボディ４に、上述した回転止め部４ｆを設ける場合は、ベース２に対するボディ４、ひいては噴射ノズルＮが回転することなく保持されるので、レバー８を取り付ける際にボディ４を動かないように保持しておく必要がなくなり、組み立て作業がより一層容易となる。
【産業上の利用可能性】
【００３２】
本発明によれば、部材を組み立てる作業を、より簡単に行うことができるトリガー式噴出器を提供できる。
【符号の説明】
【００３３】
１    容器
１ａ  口部
２    ベース
２ａ  天面壁
２ｂ  筒体
２ｆ  支持壁
２ｈ  枢軸
３    ポンプ
３ａ  シリンダー
３ｂ  ピストン
４    ボディ
４ａ  ステム
４ｂ  傾斜筒体
４ｃ  フランジ
４ｄ  ノズル本体
４ｅ  被押圧突起
４ｆ  回転止め部
５    排出弁
６    棒状部材
７    キャップ
８    レバー
８ａ  側壁
８ｂ  天壁
８ｃ  正面壁
８ｄ  補強壁
８ｅ  窓孔
８ｆ  スリット
８ｇ  押圧突起
８ｈ  溝部
８ｉ  軸穴
８ｊ  蓋体
８ｋ  係合部
８ｍ  被係合部
Ｒ    送給経路
Ｎ    噴射ノズル
ｈ    ヒンジ
【図１】
0005575687.tif 000002
【図２】
0005575687.tif 000003
【図３】
0005575687.tif 000004
【図４】
0005575687.tif 000005
【図５】
0005575687.tif 000006
【図６】
0005575687.tif 000007